(57)【要約】【課題】箱と台紙を一体に供給することができ、箱を組み立てるだけで、台紙付小箱が実現するような構造を提案するものである。【解決手段】１枚のブランクＢから形成される台紙付小箱１であって、ブランクの台紙２となる部分の下端の側端に切込線ｋと谷折罫線ａによって区画される側面板１（３）を設け、側面板１からそれぞれ山折罫線を介して正面板４、側面板２（５）、背面板６を順次連設し、背面板は箱の辺より長い部分が糊代９となっており、側面板１の下端には底面フラップ１（１０）を連設し、正面板の下端には底面板７と底面差込フラップ７Ｆを順次連設し、上端には天面フラップ１（１２）を連設し、側面板２の下端には底面フラップ２（１１）を連設し、上端には天面板８と天面差込フラップ８Ｆを順次連設し、背面板６の上端には天面フラップ２（１３）を連設したことを特徴とする台紙付小箱用ブランクを組み立ててなる。【選択図】図３
2020128216.tif 000002
【特許請求の範囲】
【請求項１】
台紙と小箱とが１枚のブランクから形成される台紙付小箱用ブランクであって、ブランクの台紙となる部分の下端の側端に切込線（ｋ）と谷折罫線（ａ）によって区画される側面板１を設け、側面板１からそれぞれ山折罫線を介して正面板、側面板２、背面板を順次連設し、背面板は箱の辺より長い部分が糊代となっており、側面板１の下端には山折罫線を介して底面フラップ１を連設し、正面板の下端には山折罫線を介して底面板と底面差込フラップを順次連設し、上端には山折罫線を介して天面フラップ１を連設し、側面板２の下端には山折罫線を介して底面フラップ２を連設し、上端には山折罫線を介して天面板と天面差込フラップを順次連設し、背面板の上端には山折罫線を介して天面フラップ２を連設したことを特徴とする台紙付小箱用ブランク。
【請求項２】
請求項１に記載された台紙付小箱用ブランクのすべての罫線を９０°折り、糊代を台紙の裏面に接着してなる台紙付小箱。
【請求項３】
請求項１に記載された台紙付小箱のブランクの、正面板と側面板２との間の山折罫線を１８０°折り、糊代を台紙の裏面に接着してなるスリーブ。
【請求項４】
台紙と小箱とが１枚のブランクから形成される台紙付小箱用ブランクであって、ブランクの台紙となる部分の下端の側端に切込線（ｋ）と谷折罫線（ａ）によって区画される側面板１を設け、側面板１からそれぞれ山折罫線を介して正面板、側面板２、背面板を順次連設し、背面板は箱の辺より長い部分が糊代となっており、側面板１の下端には山折罫線を介して底面フラップ１を連設し、正面板の下端には山折罫線を介して底面板１を連設し、上端には山折罫線を介して天面フラップ１を連設し、側面板２の下端には山折罫線を介して底面フラップ２を連設し、上端には山折罫線を介して天面板と天面差込フラップを順次連設し、背面板の下端には山折罫線を介して底面板２を連設し、上端には山折罫線を介して天面フラップ２を連設し、底面板１、底面板２、底面フラップ１、底面フラップ２はワンタッチ底を形成したことを特徴とする台紙付小箱用ブランク。
【請求項５】
請求項４に記載された台紙付小箱用ブランクのすべての罫線を９０°折り、ワンタッチ底を形成し、糊代を台紙の裏面に接着してなる台紙付小箱。
【請求項６】
請求項４に記載された台紙付小箱のブランクの、正面板と側面板２との間の山折罫線を１８０°折り、ワンタッチ底を形成し、糊代を台紙の裏面に接着してなるスリーブ。
【発明の詳細な説明】
【技術分野】
【０００１】
本発明は小型の製品を収納して店頭に展示するための小箱に関し、特に台紙を伴った台紙付小箱に関する。
【背景技術】
【０００２】
従来、小さな物品を収納するための小型の紙箱は、箱だけでは小さくて目立たず、商品としての訴求力に欠けることから箱よりも大きい台紙に貼り付けて店頭に展示されることが多かった。通常、台紙と箱とは別々の部品であるため、接着剤等を用いて箱を台紙に貼り付ける工程が必要となる。
【０００３】
特許文献１に記載された吊下げタイプの包装用容器は、この貼り付けの手間を不要とした容器であって、箱と台紙を別部品とし、台紙に設けたスリットに、箱の後ろ側の側壁から延設されたヘッダーを差し込むことによって取り付けるようにしたものである。
【０００４】
特許文献１に記載された吊下げタイプの包装用容器は、従来の貼り付けの手間に比較すれば、組合わせるだけの簡単な作業ではあるが、依然として１工程必要であり、さらなる省力化を求める声があった。また複数種類の商品が混在する現場においては、箱と台紙を取り違えるという致命的な問題が生じる可能性があった。
【先行技術文献】
【特許文献】
【０００５】
【特許文献１】特開２００６−２６４７３８号公報
【発明の概要】
【発明が解決しようとする課題】
【０００６】
本発明の解決しようとする課題は、箱と台紙を一体に供給することができ、箱を組み立てるだけで、台紙付小箱が実現するような機能を持った台紙付小箱の構造を提案するものである。
【課題を解決するための手段】
【０００７】
上記の課題を解決するための手段として、請求項１に記載の発明は、台紙と小箱とが１枚のブランクから形成される台紙付小箱用ブランクであって、ブランクの台紙となる部分の下端の側端に切込線（ｋ）と谷折罫線（ａ）によって区画される側面板１を設け、側面板１からそれぞれ山折罫線を介して正面板、側面板２、背面板を順次連設し、背面板は箱の辺より長い部分が糊代となっており、側面板１の下端には山折罫線を介して底面フラップ１を連設し、正面板の下端には山折罫線を介して底面板と底面差込フラップを順次連設し、上端には山折罫線を介して天面フラップ１を連設し、側面板２の下端には山折罫線を介して底面フラップ２を連設し、上端には山折罫線を介して天面板と天面差込フラップを順次連設し、背面板の上端には山折罫線を介して天面フラップ２を連設したことを特徴とする台紙付小箱用ブランクである。
【０００８】
また、請求項２に記載の発明は、請求項１に記載された台紙付小箱用ブランクのすべての罫線を９０°折り、糊代を台紙の裏面に接着してなる台紙付小箱である。
【０００９】
また、請求項３に記載の発明は、請求項１に記載された台紙付小箱のブランクの、正面板と側面板２との間の山折罫線を１８０°折り、糊代を台紙の裏面に接着してなるスリーブである。
【００１０】
また、請求項４に記載の発明は、台紙と小箱とが１枚のブランクから形成される台紙付小箱用ブランクであって、ブランクの台紙となる部分の下端の側端に切込線（ｋ）と谷折罫線（ａ）によって区画される側面板１を設け、側面板１からそれぞれ山折罫線を介して正面板、側面板２、背面板を順次連設し、背面板は箱の辺より長い部分が糊代となっており、側面板１の下端には山折罫線を介して底面フラップ１を連設し、正面板の下端には山折罫線を介して底面板１を連設し、上端には山折罫線を介して天面フラップ１を連設し、側面板２の下端には山折罫線を介して底面フラップ２を連設し、上端には山折罫線を介して天面板と天面差込フラップを順次連設し、背面板の下端には山折罫線を介して底面板２を連設し、上端には山折罫線を介して天面フラップ２を連設し、底面板１、底面板２、底面フラップ１、底面フラップ２はワンタッチ底を形成したことを特徴とする台紙付小箱用ブランクである。
また、請求項５に記載の発明は、請求項４に記載された台紙付小箱用ブランクのすべての罫線を９０°折り、ワンタッチ底を形成し、糊代を台紙の裏面に接着してなる台紙付小箱である。
【００１１】
また、請求項６に記載の発明は、請求項４に記載された台紙付小箱のブランクの、正面板と側面板２との間の山折罫線を１８０°折り、ワンタッチ底を形成し、糊代を台紙の裏面に接着してなるスリーブである。
【発明の効果】
【００１２】
本発明に係る台紙付小箱は、ブランクの構成を工夫したことにより、台紙と小箱とが１枚のブランクから作成されるため、台紙と小箱という２つの部品を組合わせる手間がかからず、これらを取り違える惧れもない。
【００１３】
本発明に係る台紙付小箱は、正面板と側面板２との間の山折罫線を１８０°折って糊代を台紙の裏面に接着してスリーブを形成しておくことにより、スリーブを引き起こすだけのより簡単な操作によって台紙付小箱を作成することができる。さらに請求項４〜６に記載の発明のように、底面をワンタッチ底とした場合には、箱の組み立てがさらに簡単にできる。
【００１４】
小箱は、台紙との境界である谷折罫線以外は、すべて山折罫線によって構成されるため、紙の表面側のみが見える面となり、外観的に優れている。
【００１５】
小さい製品に対して小箱だけでは、表面に表出できる情報量が少なくなってしまうが、台紙と一体の構造であるため、台紙に多くの情報を表出することができ、製品の訴求力を向上させることができる。
【図面の簡単な説明】
【００１６】
【図１】図１は、本発明に係る台紙付小箱のブランクの一実施態様を示した平面模式図である。
【図２】図２は、図１に示したブランクを山折罫線ｃで１８０°折曲げ、糊代を台紙の裏面に接着して作成したスリーブの平面模式図である。
【図３】図３は、図１に示したブランクを組み立てた台紙付小箱の斜視図である。
【図４】図４は、図３に示した台紙付小箱を背面側から見た状態を示した斜視図である。
【図５】図５は、本発明に係る台紙付小箱の他の実施態様におけるブランクを示した平面模式図である。
【発明を実施するための形態】
【００１７】
以下、図面を参照しながら本発明に係る台紙付小箱について詳細に説明する。図１は、本発明に係る台紙付小箱１のブランクＢの一例を示した平面模式図である。図２は、図１に示したブランクＢを山折罫線ｃで１８０°折曲げ、糊代９を台紙２の裏面に接着して作成したスリーブＳの平面模式図である。また図３は、図１に示したブランクＢを組み立てた台紙付小箱１の斜視図である。なお、図において、一点鎖線は山折罫線を、破線は谷折罫線を示している。
【００１８】
本発明に係る台紙付小箱１は、台紙と小箱とが１枚のブランクＢから形成される台紙付小箱であって、図１に示したようにブランクＢの台紙２となる部分の下端の側端に切込線ｋと谷折罫線ａによって区画される側面板１（３）を設け、側面板１（３）からそれぞれ山折罫線ｂ、ｃ、ｄを介して正面板４、側面板２（５）、背面板６を順次連設し、背面板６は箱の辺より長い部分が糊代９となっており、側面板１（３）の下端には山折罫線ｅを介して底面フラップ１（１０）を連設し、正面板４の下端には山折罫線ｆ、ｍを介して底面板７と底面差込フラップ７Ｆを順次連設し、上端には山折罫線ｊを介して天面フラップ１（１２）を連設し、側面板２（５）の下端には山折罫線ｇを介して底面フラップ２（１１）を連設し、上端には山折罫線ｉ、ｎを介して天面板８と天面差込フラップ８Ｆを順次連設し、背面板６の上端には山折罫線ｈを介して天面フラップ２（１３）を連設したことを特徴とする台紙付小箱用ブランクＢのすべての罫線を９０°折り曲げて、糊代９を台紙２の裏面に接着することによって得られる。
【００１９】
この例では、切込線ｋと谷折罫線ａとによって区画される側面板１（３）を台紙２の左下に配置しているが、右下に配置して、図１とは左右対称形となるブランクを用いても良い。また図１では、側面板１（３）と正面板４の幅が等しくなっており、小箱の横断面は、正方形であるが、小箱の断面形状は、長方形であっても良い。
【００２０】
切込線ｋの長さは、小箱の背面の幅寸法に等しくなるが、図１に示したブランクＢでは、切込線ｋの長さは、正面板４の幅と等しい。なお切込線ｋは、完全に切らずに一部を残して簡単に切断できるようにしておき、最終的に箱に立ち上げる時点で切断しても良い。
【００２１】
本発明に係る台紙付小箱１は、内容物を収納する時点で組み立てても良いが、予めブランクＢの正面板４と側面板２（５）との間の山折罫線ｃを１８０°折って、背面板６を台紙２の裏面側に折り返し、糊代９を台紙の裏面に接着して図２に示したようなスリーブＳを形成しておくことにより、収納時の組み立て作業が容易となる。
【００２２】
谷折罫線ａは、折り易いように、図１に示したように切込線入りの折罫線としても良い。
【００２３】
また特に図示しないが、小箱の前面あるいは前面と側面の一部に窓を設け、箱の内側から透明なプラスチック板を貼り付けて箱の外側から内容物が目視できるようにしても良い。
【００２４】
図５は、本発明に係る台紙付小箱の他の実施態様におけるブランクを示した平面模式図である。この例では、底面が底面板７ａ、底面板７ｂ、底面フラップ１（１０）、底面フラップ２（１１）の４枚から構成されるワンタッチ底によって形成されている。底面板７ａおよび底面板７ｂの接着フラップを折罫線で折り返し、それぞれ底面フラップ１（１０）、底面フラップ２（１１）と接着することでワンタッチ底が構成される。
【００２５】
このようにすることで、予めブランクＢの正面板４と側面板２（５）との間の山折罫線ｃを１８０°折って、背面板６を台紙２の裏面側に折り返し、糊代９を台紙の裏面に接着してスリーブを形成しておくことにより、収納時の組み立て作業がさらに容易となる。
【００２６】
本発明に係る台紙付小箱１に用いる材料としては、一般的に紙箱に用いられるマニラボール紙、白ボール紙、コートボール紙、チップボール紙等の２７０〜４５０ｇ／ｍ２程度の板紙や、両面カード紙、裏白ボール紙、アイボリー紙等の坪量２６０〜４５０ｇ／ｍ２程度の板紙の他、プラスチック板類等を用いることもできる。
【００２７】
本発明に係る台紙付小箱１は、組み上がった状態で紙の裏面側が見えない構造であるため、裏面側に印刷表示等の必要がなければ、片面印刷仕様の安価な材料を用いることができる。
【符号の説明】
【００２８】
１・・・台紙付小箱
Ｂ・・・ブランク
Ｓ・・・スリーブ
２・・・台紙
３・・・側面板１
４・・・正面板
５・・・側面板２
６・・・背面板
７、７ａ、７ｂ・・・底面板
７Ｆ・・・底面差込フラップ
８・・・天面板
８Ｆ・・・天面差込フラップ
９・・・糊代
１０・・・底面フラップ１
１１・・・底面フラップ２
１２・・・天面フラップ１
１３・・・天面フラップ２
ａ・・・谷折罫線
ｂ〜ｊ・・・山折罫線
ｍ、ｎ・・・山折罫線
ｋ・・・切込線
【図１】
2020128216.tif 000003
【図２】
2020128216.tif 000004
【図３】
2020128216.tif 000005
【図４】
2020128216.tif 000006
【図５】
2020128216.tif 000007